(57)【要約】【課題】  従来、各種のプレハブ式建築物を各種パネルを使用して建築する場合、プレハブ式建築物の胴縁・梁等に各種パネルを強固一体的に連結すると共に、隣接パネルを緊密に圧接衝合した状態で強固一体的に連結する有効な連結手段の提供が課題とされていた。【解決手段】  正面板４と底板５を断面Ｌ形に形成し、正面板４の中央に長円孔６をあけ、底板５の前端縁に管状部７を延設してその中空孔８に連結ボルト９を挿通するように備え、同底板５の前端縁の下面にチャンネル状の顎金１０を延設して、該顎金１０上面と底板５下面の間に胴縁・梁等３の開口縁部１１を係合する係合溝１２を形成すると共に、正面中央に締付ボルト１３を螺合するねじ孔１４をあけて備えたパネル連結金具１によって課題を解決した。【選択図】  図１１
2008261101.tif 000002
【特許請求の範囲】
【請求項１】
プレハブ式の冷凍・冷蔵庫、冷凍・冷蔵倉庫、クリーンルーム、各種倉庫、作業場等のプレハブ式建築物を長方形等の板状の壁パネル、床パネル、天井パネル、屋根パネル等の各種パネルを使用して建築するにつき、
プレハブ式建築物の構造骨格に配置したみぞ形材の胴縁・梁等に、並列設置した各種パネルの内面若しくは外面を強固一体的に連結して、該プレハブ式建築物の壁、床、天井、屋根等を構成するのに用いるパネル連結金具であり、
正面板と底板を断面Ｌ形に形成し、正面板の中央に長円孔をあけ、底板の前端縁に管状部を延設してその中空孔に連結ボルトを挿通するように備え、同底板の前端縁の下面にチャンネル状の顎金を延設して、該顎金上面と底板下面の間に胴縁・梁等の開口縁部を係合する係合溝を形成すると共に、正面中央に締付ボルトを螺合するねじ孔をあけて備えたパネル連結金具であって、
該パネル連結金具を、その正面板の長円孔に挿通したボルトを予め各種パネルに内装した取付金具に螺締して各種パネルに固着し、該正面板下方の顎金の係合溝に胴縁・梁等の開口縁部を係合すると共に、該顎金のねじ孔に螺合した締付ボルトを開口縁部の内面に締付けることによって、胴縁・梁等に各種パネルを引付け圧着した状態で強固一体的に連結するように備えたものであり、
また、該パネル連結金具を、隣接パネルの各側辺に並列して固着すると共に、両パネル連結金具の管状部の中空孔に連結ボルトを挿通し、該連結ボルトにナットを螺締し両パネル連結金具を牽引接近することによって、隣接パネルを緊密に圧接衝合した状態で強固一体的に連結するように備えたものである、
プレハブ式建築物のパネル連結金具。
【発明の詳細な説明】
【技術分野】
【０００１】
本発明は、プレハブ式建築物、例えば、プレハブ式の冷凍・冷蔵庫、冷凍・冷蔵倉庫、各種倉庫、クリーンルーム、オフィイス、住宅、作業場、その他の建築物を、主として長方形の板状の壁パネル、床パネル、天井パネル、屋根パネル等の各種パネルを使用して建築するにつき、プレハブ式建築物の構造骨格に配置した胴縁・梁等（例、Ｃ形鋼材等のみぞ形材）に、並列設置した各種パネルの内面若しくは外面を強固一体的に連結して、該プレハブ式建築物の壁、床、天井、屋根等を構成するのに用いる、パネル連結金具に係るものである。
【背景技術】
【０００２】
従来、上記のような各種のプレハブ式建築物を、各種パネルを使用して建築する場合、プレハブ式建築物の構造骨格に配置し、固定した胴縁・梁等（例、Ｃ形鋼材等のみぞ形材）に、並列設置した各種パネルの内面若しくは外面を連結して、該プレハブ式建築物の壁、床、天井、屋根等を構成している。
【０００３】
その場合、胴縁・梁等に各種パネルを強固一体的に連結する連結手段が必要とされ、例えば、出願人が先に特許出願した特開２００５−２００９７８号に記載のようなパネル連結金具を使用していた。
【０００４】
然るところ、上記のパネル連結金具は胴縁・梁等と各種パネルの連結手段として極めて有効であるが、その構成が特殊で限定的であるため、簡易性と汎用性に欠ける課題があった。
【特許文献１】特開２００５−２００９７８号公報
【発明の開示】
【発明が解決しようとする課題】
【０００５】
本発明は、上記従来に比し、構成簡潔で安価であると共に、熟練を要せずに容易かつ迅速に作業でき、その上、作用効果は従来に勝るとも劣らないプレハブ式建築物のプパネル連結金具を提供して、従来の課題を解決したものである。
【課題を解決するための手段】
【０００６】
本発明は、プレハブ式の冷凍・冷蔵庫、冷凍・冷蔵倉庫、クリーンルーム、各種倉庫、作業場等のプレハブ式建築物を長方形等の板状の壁パネル、床パネル、天井パネル、屋根パネル等の各種パネルを使用して建築するにつき、
【０００７】
プレハブ式建築物の構造骨格に配置したみぞ形材の胴縁・梁等に、並列設置した各種パネルの内面若しくは外面を強固一体的に連結して、該プレハブ式建築物の壁、床、天井、屋根等を構成するのに用いるパネル連結金具であり、
【０００８】
正面板と底板を断面Ｌ形に形成し、正面板の中央に長円孔をあけ、底板の前端縁に管状部を延設してその中空孔に連結ボルトを挿通するように備え、同底板の前端縁の下面にチャンネル状の顎金を延設して、該顎金上面と底板下面の間に胴縁・梁等の開口縁部を係合する係合溝を形成すると共に、正面中央に締付ボルトを螺合するねじ孔をあけて備えたパネル連結金具であって、
【０００９】
該パネル連結金具を、その正面板の長孔に挿通したボルトを予め各種パネルに内装した取付金具に螺締して各種パネルに固着し、該正面板下方の顎金の係合溝に胴縁・梁等の開口縁部を係合すると共に、該顎金のねじ孔に螺合した締付ボルトを開口縁部の内面に締付けることによって、胴縁・梁等に各種パネルを引付け圧着した状態で強固一体的に連結するように備えたものであり、
【００１０】
また、該パネル連結金具を、隣接パネルの各側辺に並列して固着すると共に、両パネル連結金具の管状部の中空孔に連結ボルトを挿通し、該連結ボルトにナットを螺締し両パネル連結金具を牽引接近することによって、隣接パネルを緊密に圧接衝合した状態で強固一体的に連結するように備えたものである、プレハブ式建築物のパネル連結金具によって課題を解決した。
【発明の効果】
【００１１】
各種パネルを胴縁・梁等に強固一体的に連結する連結するにつき、本発明パネル連結金具の正面板をボルトで各種パネルに固着すると共に、顎金の締付ボルトを胴縁・梁等の開口縁部の内面に締付けるだけで、各種パネルを胴縁・梁等に引付け圧着した状態で強固一体的に連結することができ、よって、熟練作業不要で、簡単迅速に、また、高精度水密構成に建築し得る極めて優れた効果がある。
【００１２】
また、パネル連結金具を隣接パネルの各側辺に並列して固着し、各管状部の中空孔に連結ボルトを挿通しナット締めして両パネル連結金具を牽引接近することにより、隣接パネルを緊密に圧接衝合した状態で強固一体的に連結することが出来る優れた特徴がある。
【００１３】
該パネル連結金具をチャンネル状の長尺アルミ形材に形成し、正面板の幅に寸法切りするだけで極めて簡単に作成できるので、安価に提供し得る。
【発明を実施するための最良の形態】
【００１４】
パネル連結金具の正面板をボルトで各種パネルに固着すると共に、顎金の締付ボルトを胴縁・梁等の開口縁部の内面に締付けて、各種パネルを胴縁・梁等に引付け圧着した状態で強固一体的に連結するように備え、
【００１５】
また、パネル連結金具を隣接パネルの各側辺に並列して固着し、各管状部の中空孔に連結ボルトを挿通しナット締めして両パネル連結金具を牽引接近することにより、隣接パネルを緊密に圧接衝合した状態で強固一体的に連結するように備える。
【実施例１】
【００１６】
図１は本発明パネル連結金具の実施例の正面図、図２は背面図、図３は平面図、図４は底面図、図５は右側面図、図６は左側面図、図７は図１のＡ-Ａ線断面矢視図、図８は隣接パネルに取付けた各パネル連結金具と胴縁・梁等を連結した説明正面図、図９は図８の左側面図、図１０は図８のＢ-Ｂ線断面矢視図、図１１は図８のＣ-Ｃ線断面矢視図、図１２は図８のＤ-Ｄ線断面矢視図である。
【００１７】
本発明は、プレハブ式の冷凍・冷蔵庫、冷凍・冷蔵倉庫、クリーンルーム、各種倉庫、作業場等のプレハブ式建築物を長方形等の板状の壁パネル、床パネル、天井パネル、屋根パネル等の各種パネル２を使用して建築するにつき、
【００１８】
プレハブ式建築物の構造骨格に配置した胴みぞ形材の縁・梁等３（図示例、Ｃ形鋼材）に並列設置した各種パネル１の内面若しくは外面を強固一体的に連結して、該プレハブ式建築物の壁、床、天井、屋根等を構成するのに用いるパネル連結金具１であり、
【００１９】
正面板４と底板５を断面Ｌ形に形成し、正面板４の中央に長円孔６をあけ、底板５の前端縁に管状部７を延設してその中空孔８に連結ボルト９を挿通するように備え、同底板５の前端縁の下面にチャンネル状の顎金１０を延設して、該顎金１０上面と底板５下面の間に胴縁・梁等３の開口縁部１１を係合する係合溝１２を形成すると共に、正面中央に締付ボルト１３を螺合するねじ孔１４をあけて備えたパネル連結金具１であって、
【００２０】
該パネル連結金具１を、その正面板４の長円孔６に挿通したボルト１５を予め各種パネル２に内装した取付金具１６に螺締して各種パネル２に固着し、該正面板４下方の顎金１０の係合溝１２に胴縁・梁等３の開口縁部１１を係合すると共に、該顎金１０のねじ孔１４に螺合した締付ボルト１３を開口縁部１１の内面に締付けることによって、胴縁・梁等３に各種パネル２を引付け圧着した状態で強固一体的に連結するように備えたものであり、
【００２１】
また、該パネル連結金具１、１を、隣接パネル両者間にパッキング材１７を介在した両パネル２、２の各側辺に並列して固着すると共に、両パネル連結金具１、１の管状部７の中空孔８に連結ボルト９を挿通し、該連結ボルト９にナット１８を螺締し両パネル連結金具１、１を牽引接近することによってパッキング材１７を強力に圧縮して、隣接パネルを緊密に圧接衝合した状態で強固一体的に連結するように備えたものである、プレハブ式建築物のパネル連結金具１である。
【００２２】
なお、上記において、
パッキン材１７は、例えば、隣接パネル１、１の相対するコ形リブ１９、１９間を気密、水密に接続する目的で介在設置するものであり、隣接パネル１、１のコ形リブの間の相対した溝状空間２０、２０内に長尺硬質なパッキン基材を嵌合設置しその両端の軟質なパッキン部を相対するコ形リブ１９、１９間に介在して使用するものである。
【００２３】
また、各種パネル２は、例えば、長方形等の枠材２１の表裏両面に長方形の薄鋼板若しくはカラー鉄板からなる表裏面板２２を当接し、その４辺周縁部を枠材２１に沿って折り曲げ固着してコ形リブ１９を形成し、枠材２１と表裏面板２２で囲った中空部内にウレタン、ロックウール等の充填材２３を充填して設けたものである。
【産業上の利用可能性】
【００２４】
本発明パネル連結金具を使用するだけで、各種パネルを胴縁・梁等に引付け圧着した状態で強固一体的に連結し得ると共に、隣接パネルを緊密に圧接衝合した状態で強固一体的に連結し得て、如何なる広面積でも、熟練不要で、簡単迅速に、強固かつ高精度水密構成に構築することができるため、プレハブ式建築物の各種パネルに限らず、広く各種板材と胴縁・梁等の連結金具として汎用することができる。
【図面の簡単な説明】
【００２５】
【図１】本発明パネル連結金具の実施例の正面図。
【図２】背面図。
【図３】平面図。
【図４】底面図。
【図５】右側面図。
【図６】左側面図。
【図７】図１のＡ-Ａ線断面矢視図。
【図８】隣接パネルに取付けた各パネル連結金具と胴縁・梁等を連結した説明正面図。
【図９】図８の左側面図。
【図１０】図８のＢ-Ｂ線断面矢視図。
【図１１】図８のＣ-Ｃ線断面矢視図。
【図１２】図８のＤ-Ｄ線断面矢視図。
【符号の説明】
【００２６】
１    パネル連結金具
２    各種パネル
３    胴縁・梁等
４    正面板
５    底板  
６    長円孔
７    管状部
８    中空部
９    連結ボルト
１０  顎金
１１  開口縁部
１２  係合溝
１３  締付ボルト
１４  ねじ孔
１５  ボルト
１６  取付金具
１７  パッキング材
１８  ナット
１９  コ形リブ
２０  溝状空間
２１  枠材
２２  表裏面板
２３  充填材
【図１】
2008261101.tif 000003
【図２】
2008261101.tif 000004
【図３】
2008261101.tif 000005
【図４】
2008261101.tif 000006
【図５】
2008261101.tif 000007
【図６】
2008261101.tif 000008
【図７】
2008261101.tif 000009
【図８】
2008261101.tif 000010
【図９】
2008261101.tif 000011
【図１０】
2008261101.tif 000012
【図１１】
2008261101.tif 000013
【図１２】
2008261101.tif 000014